(57)【要約】  【課題】マイク本体の揺動による接触衝撃音の発生を防止でき、ストラップ長の調整作業を簡単にしてネックストラップが確実に固定されるようにでき、ネックストラップが長すぎる状態で使用される可能性を低減できるマイクロフォン装置を提供する。  【解決手段】マイク本体２は、ネックストラップ３を用いて使用者の首に掛けられる。ネックストラップ３は、マイク本体２に沿うようにスリットにより案内される。マイク本体２には、挟持手段としてクリップ機構４が設けられる。クリップ機構４の挟持箇所がネックストラップ３の経路上に配置されており、クリップ機構４が使用者の衣服等の被固定部と共に、ネックストラップ３をも挟持する。【選択図】  図１
2010193236.tif 000002
【特許請求の範囲】
【請求項１】
マイク本体と、
前記マイク本体を使用者の首に掛けるためのネックストラップと、
前記ネックストラップを前記マイク本体に沿うように案内するストラップ案内手段と、
前記マイク本体に設けられ、前記使用者の被固定部を挟持する挟持手段とを備え、
前記挟持手段の挟持箇所が、前記ストラップ案内手段により案内された前記ネックストラップが通る経路上に配置されており、前記挟持手段が前記被固定部と共に前記ネックストラップを前記挟持箇所にて挟持することを特徴とするマイクロフォン装置。
【請求項２】
前記挟持手段は、前記マイク本体の背面に設けられたクリップベースと、前記クリップベースに対して回動可能なクリップ片と、前記クリップ片を前記クリップベースに付勢する弾性部材とを有するクリップ機構であることを特徴とする請求項１に記載のマイクロフォン装置。
【請求項３】
前記ストラップ案内手段は、前記ネックストラップが通過するように前記クリップベースに設けられた案内スリットを含み、前記案内スリットが、前記挟持箇所の上方に配置されており、前記ネックストラップは、前記案内スリットを通過して前記クリップベースと前記クリップ片の隙間に入り、下方の前記挟持箇所へと至っていることを特徴とする請求項２に記載のマイクロフォン装置。
【請求項４】
前記マイク本体は、上端から下方に向けて幅が拡大する形状を前記マイク本体の全体形状の少なくとも一部として有し、
前記クリップ片は、前記マイク本体の形状に対応してクリップ上端からクリップ下端に向けて幅が拡大する幅拡大形状を有し、前記幅拡大形状の幅方向の中央部の取付箇所にて前記クリップ機構が前記マイク本体に取り付けられており、前記クリップ機構は、前記挟持箇所が前記取付箇所より下方で前記取付箇所の左右の領域を含むように構成されていることを特徴とする請求項２又は３に記載のマイクロフォン装置。
【請求項５】
前記クリップ機構による挟持方向と交差した面上で前記マイク本体を前記クリップ機構に対して回動可能に保持し、かつ、回動後の角度で前記マイク本体を停止させることにより、前記マイク本体と前記クリップ機構との角度を調整する角度調整機構を有することを特徴とする請求項２乃至４のいずれかに記載のマイクロフォン装置。
【請求項６】
前記クリップベースは弾性ストッパーを有することを特徴とする請求項２乃至５のいずれかに記載のマイクロフォン装置。
【請求項７】
前記ネックストラップを途中で分断可能に連結するバックル機構を有することを特徴とする請求項１乃至６のいずれかに記載のマイクロフォン装置。
【発明の詳細な説明】
【技術分野】
【０００１】
本発明は、ネックストラップの長さを変更可能な首掛けタイプのマイクロフォン装置に関する。
【背景技術】
【０００２】
従来、使用者が手で持たなくても使用できる便利なマイクロフォン装置として、首に掛けられるタイプのマイクロフォン装置が提案されている（例えば特許文献１参照）。以下、首掛けタイプのマイクロフォン装置を単にマイクという。
【０００３】
図１７及び図１８は、従来のマイクの例を示している。マイク１４１は、ネックストラップ１４２と固定部品１４３で構成される可変長ネックストラップ装置１４４を備えている。ネックストラップ１４２は、マイク本体１４５の背面に設けられたスリット１４６に移動自在に通されており、そして、固定部品１４３によって任意の位置で固定される。
【０００４】
本明細書では、図１８に示されるように、ネックストラップ１４２のうちで、マイク本体１４５で両端が終わる環状の部分を、ストラップループ１４７といい、ストラップループ１４７の長さをストラップ長という。マイク１４１は、可変長ネックストラップ装置１４４を備えることにより、ストラップ長を調整可能である。ストラップ長の調整作業では、使用者がマイク本体１４５をネックストラップ１４２に対して相対的に動かし、マイク本体１４５のスリット１４６に対してネックストラップ１４２を移動させ、ストラップ長を変化させる。次に、使用者は、ネックストラップ１４２に対して固定部品１４３を移動し、マイク本体１４５の下端に固定部品１４３を位置させる。これにより、マイク本体１４５が下がらなくなり、ネックストラップ１４２の位置が固定され、ストラップ長も固定される。
【０００５】
また、図１７のマイク１４１は、マイク本体１４５の外観形状に鑑みて、ティアドロップ型マイク又はペンダント型マイクと呼ぶことができる。
【特許文献１】特開２００６−２５４２３９号公報
【発明の開示】
【発明が解決しようとする課題】
【０００６】
しかしながら、従来のマイク１４１においては、使用者とマイク本体１４５がネックストラップ１４２のみで繋がっているため、使用者が体を動かした際にマイク本体１４５が揺動し、ストラップ長調整用の固定部品１４３がマイク本体１４５に当たり、その衝撃音がマイク１４１に拾われてしまい、ノイズとして出力されてしまうという問題があった。特に、前傾姿勢から正立姿勢への動きにおいて衝撃音が生じやすい。
【０００７】
また、ストラップ長の正しい調整方法では、上述したように、マイク本体１４５を移動した後に、固定部品１４３を移動して、ネックストラップ１４２を固定する必要がある。しかし、固定部品１４３を移動する作業が面倒であり、そのため、固定部品１４３を使用することなくマイク１４１が使用されることがある。この場合、マイク本体１４５とネックストラップ１４２の摩擦力のみによりマイク本体１４５が保持されるので、歩行などによって使用者の体が動いたときに、マイク本体１４５が自重と加速度により容易にずり下がってしまうという問題がある。
【０００８】
また、ストラップ長を通常使用に最適な長さに調整すると、人体の頭部周囲の長さよりも短くなる。そのため、マイク１４１を着脱するたびに、ストラップ長を調整する必要がある。しかし、着脱の度に調整するのは面倒である。そのため、ネックストラップ１４２が最適値よりも長い状態でマイク１４１が使用されることがある。この場合、使用者の口からマイク本体１４５が遠くなるため、マイク１４１の入力音圧が不足する可能性がある。
【０００９】
本発明は、従来の問題を解決するためになされたもので、その目的は、マイク本体の揺動による接触衝撃音の発生を防止でき、ストラップ長の調整作業を簡単にしてネックストラップが確実に固定されるようにでき、ネックストラップが長すぎる状態で使用される可能性を低減できるマイクロフォン装置を提供することにある。
【課題を解決するための手段】
【００１０】
本発明のマイクロフォン装置は、マイク本体と、前記マイク本体を使用者の首に掛けるためのネックストラップと、前記ネックストラップを前記マイク本体に沿うように案内するストラップ案内手段と、前記マイク本体に設けられ、前記使用者の被固定部を挟持する挟持手段とを備え、前記挟持手段の挟持箇所が、前記ストラップ案内手段により案内された前記ネックストラップが通る経路上に配置されており、前記挟持手段が前記被固定部と共に前記ネックストラップを前記挟持箇所にて挟持する。
【００１１】
この構成により、挟持手段が使用者の被固定部と共にネックストラップをも挟持する。この挟持手段は、使用者の被固定部へのマイク本体の固定と、ネックストラップの固定とに兼用される。被固定部は例えば使用者の衣服である。挟持手段によりマイク本体を被固定部に固定でき、かつ、接触衝撃音の原因になる従来のストラップ固定部品も不要になる。したがって、マイク本体の揺動による接触衝撃音の発生を防止できる。また、ストラップ長の調整作業において、従来のストラップ固定部品を使用しないでも、ネックストラップとマイク本体が挟持手段により自動的に固定される。したがって、ストラップ長の調整作業が簡単になり、ネックストラップが確実に固定される。さらに、ストラップ長の調整作業が容易なので、使用者は着脱の度にストラップ長を調整しても煩わしさを感じないで済む。したがって、ネックストラップが長すぎる状態で使用される可能性も低減できる。
【００１２】
また、本発明のマイクロフォン装置において、前記挟持手段は、前記マイク本体の背面に設けられたクリップベースと、前記クリップベースに対して回動可能なクリップ片と、前記クリップ片を前記クリップベースに付勢する弾性部材とを有するクリップ機構である。
【００１３】
この構成により、挟持手段が、弾性的に開閉するクリップ機構で実現され、操作が容易になる。
【００１４】
また、本発明のマイクロフォン装置において、前記ストラップ案内手段は、前記ネックストラップが通過するように前記クリップベースに設けられた案内スリットを含み、前記案内スリットが、前記挟持箇所の上方に配置されており、前記ネックストラップは、前記案内スリットを通過して前記クリップベースと前記クリップ片の隙間に入り、下方の前記挟持箇所へと至っている。
【００１５】
この構成により、ネックストラップをクリップ機構の挟持箇所へと簡単な構成により案内することができる。
【００１６】
また、本発明のマイクロフォン装置において、前記マイク本体は、上端から下方に向けて幅が拡大する形状を前記マイク本体の全体形状の少なくとも一部として有し、前記クリップ片は、前記マイク本体の形状に対応してクリップ上端からクリップ下端に向けて幅が拡大する幅拡大形状を有し、前記幅拡大形状の幅方向の中央部の取付箇所にて前記クリップ機構が前記マイク本体に取り付けられており、前記クリップ機構は、前記挟持箇所が前記取付箇所より下方で前記取付箇所の左右の領域を含むように構成されている。
【００１７】
この構成により、クリップ片の左右両側の領域の少なくとも一方を使用して、操作者の被固定部を挟持することができる。したがって、使用者のいろいろな部位を被固定部として使用可能であり、利便性を増大できる。
【００１８】
また、本発明のマイクロフォン装置は、前記クリップ機構による挟持方向と交差した面上で前記マイク本体を前記クリップ機構に対して回動可能に保持し、かつ、回動後の角度で前記マイク本体を停止させることにより、前記マイク本体と前記クリップ機構との角度を調整する角度調整機構を有する。
【００１９】
この構成により、マイク本体を被固定部に固定した後でも、マイク本体の角度を自由に調整でき、使用者の口の方向を向くようにマイク音孔の向きを適切に調整できる。
【００２０】
また、本発明のマイクロフォン装置において、前記クリップベースは弾性ストッパーを有する。
【００２１】
この構成により、弾性ストッパーによる拘束を解除することで、ネックストラップを容易に交換することができる。例えば、複数の使用者でマイクロフォン装置を利用する場合に、個々人で別々のネックストラップを使用することができ、使用者の不快感を低減できる。
【００２２】
また、本発明のマイクロフォン装置は、前記ネックストラップを途中で分断可能に連結するバックル機構を有する。
【００２３】
この構成により、ストラップ長を一旦調整した後に、再調整が不要になる。したがって、脱着時の使用者のストレスを低減できる。
【発明の効果】
【００２４】
本発明は、上述したように、使用者の被固定部と共にネックストラップを挟持する挟持手段を設けたので、マイク本体の揺動による接触衝撃音の発生を防止でき、ストラップ長の調整作業を簡単にしてネックストラップが確実に固定されるようにでき、ネックストラップが長すぎる状態で使用される可能性を低減できるという効果を有するマイクロフォン装置を提供することができる。
【発明を実施するための最良の形態】
【００２５】
以下、本発明の実施の形態のマイクロフォン装置について、図面を用いて説明する。
【００２６】
本発明の実施の形態に係るマイクロフォン装置（以下、単にマイクという）を図１に示す。図１はマイクを背面から見た斜視図であり、クリップが閉じた状態と開いた状態を示している。
【００２７】
図１において、マイク１は、概略的には、マイク本体２と、マイク本体２を使用者の首に掛けるためのストラップループを形成するネックストラップ３と、マイク本体２の背面に設けられたクリップ機構４とを備えている。前述したように、本明細書では、ネックストラップ３において、マイク本体２で両端が終わる環状の部分を、ストラップループといい、ストラップループの長さをストラップ長という。クリップ機構４は本発明の挟持手段の一形態であり、下端の挟持箇所１１にて対象物を挟持する。このクリップ機構４は、マイク本体２を使用者の被固定部に固定するために用いられる。被固定部は典型的には使用者の衣服であり、例えば襟元やポケットなどである。クリップ機構４は、さらに、ネックストラップ３をマイク本体２に対して固定する機能も有する。このように、本実施の形態では、クリップ機構４が、マイク本体２の固定と、ネックストラップ３の固定とに兼用される。
【００２８】
図２は、マイク１の分解斜視図であり、図３は側面図であり、図４は背面図である。図５は、図４のマイク１をラインＡ−Ａに沿って切断した図であり、図６は、図４のマイク１をラインＢ−Ｂに沿って切断した図である。図５及び図６は、クリップ機構が閉じた状態と開いた状態を示している。これらの図を用いてマイク１の構成の詳細について、特に、クリップ機構４の詳細について説明する。
【００２９】
以下の説明において、上、下、左、右は、図２に示されるように、マイク本体２を背面（後ろ側）からみたときの方向を指すものとする。上下方向は、ネックストラップ３でマイク本体２を吊り下げたときの方向に相当する。
【００３０】
マイク本体２は、例えば、赤外線タイプの小型マイクである。マイク本体２は、全体としては卵形の形状を有しており、上端２１から下方に向けて、適当な高さまで幅が拡大し、その後は幅が縮小し、下端２２に至る。このようなマイク本体２の形状を考慮し、マイク１をティアドロップ型マイク又はペンダント型マイクということもできる。
【００３１】
マイク本体２は、上端２１に音孔２３を有しており、音孔２３の内側には例えばＥＣＭ（electret condenser microphone）が配置されている。また、マイク本体２の背面には、クリップ機構４を取り付けるためのボス２４が設けられている。
【００３２】
クリップ機構４は、クリップベース５と、クリップ片６と、スプリング７で構成されている。クリップベース５は、スプリング７とともに取付ネジ８でマイク本体２の背面のボス２４に固定されている。クリップ片６は、クリップベース５に回動可能に支持されている。スプリング７は、本発明の弾性部材の一形態であり、クリップ片６の下方の部分をクリップベース５に向けて付勢して、クリップ機構４を閉じさせる。
【００３３】
クリップベース５及びクリップ片６は樹脂製であり、左右対称の形状を有する。クリップ片６は、マイク本体２の形状に対応して上端から下端に向けて幅が拡大する幅拡大形状を有しており、全体としては略３角形である。クリップベース５は、クリップ片６の約下半部と対応して左右に延びる形状を有している。クリップベース５の中央にはリング部５１が設けられており、リング部５１から上方へ上アーム５２が延びている。
【００３４】
クリップベース５及びクリップ片６は、クリップ機構４の挟持箇所１１に対応する領域に、当接部５３及び当接部６１をそれぞれ有している。挟持箇所１１は、図１に示される通り、クリップ片６の下端付近の領域である。当接部５３はクリップベース５上でクリップ片６１を向いた面に設けられ、当接部６１はクリップ片６上でクリップベース５を向いた面に設けられ、当接部５３、６１は互いに向き合うように配置されている。クリップベース５の当接部５３は、複数の円弧状の細長い突起で構成されており、それら複数の突起が同心円を描いている。クリップ片６の当接部６１も、複数の円弧状の細長い突起で構成されており、それら複数の突起が同心円を描いている。当接部５３の突起と当接部６１の突起とは互い違いに配置されている。
【００３５】
クリップ片６は、中央上部に２つの壁部６２を有している。これら壁部６２は、クリップベース５に向けて突出しており、互いに間隔を開けて上下方向に延びている。両壁部６２の内側には支点突起６３がクリップベース５へ向けて突出するように設けられている。一方、クリップベース５の上アーム５２の両側には壁部５４が設けられており、各壁部５４には支点溝５５が設けられている。支点突起６３が支点溝５５に嵌まっており、これにより、クリップ片６は、支点突起６３及び支点溝５５からなる支点を中心として、クリップベース５に対して回動（揺動）可能である。クリップ片６の両側の壁部６２は、クリップベース５の両壁部５４の外側に位置しており、クリップ片６の回動動作を案内する。
【００３６】
スプリング７は、細長い板バネであり、基端側に円板部７１を有しており、円板部７１から上方に帯部７２が延びている。帯部７２は、折り曲げられた形状を有し、前帯部７３と後帯部７４で構成される。円板部７１から上方に前帯部７３が延び、前帯部７３の上端が後方に曲げられており、後帯部７４が下方に延びており、後帯部７４は先端に係合部７５を有している。係合部７５は、組付状態でクリップ片６へ向けて屈曲した部分である。
【００３７】
スプリング７は、円板部７１がクリップベース５のリング部５１の後面に重なるように配置されている。円板部７１の中央の開口に取付ネジ８が通されており、円板部７１がクリップベース５とともにマイク本体２のボス２４に締結されている。
【００３８】
また、円板部７１の両側の切欠き７６がリング部５１の両側の突起５６と係合することにより、スプリング７が位置決めされている。そして、スプリング７の帯部７２は、クリップベース５の上アーム５２に設けられた両壁部５４の間に位置している。
【００３９】
帯部７２の先端の係合部７５は、クリップ片６の後面に係合している。これにより、スプリング７は、前帯部７３及び後帯部７４が閉じる方向にクリップ片６を付勢している。係合部７５が支点より下方に位置するので、クリップ片６の下端の当接部６１が、クリップベース５に向けて付勢される。
【００４０】
また、図２に示されるように、クリップベース５は、さらに、左右の案内スリット５７を有している。左右の案内スリット５７は対称であり、横方向に延びている。そして、左右の案内スリット５７は、リング部５１の下端の両側であって、挟持箇所１１に設けられた当接部５３の上方に位置している。
【００４１】
案内スリット５７にはネックストラップ３が通されている。図２ではネックストラップ３の一部が想像線で示されているが、ネックストラップ３は首掛けのためのストラップループを形成している。ストラップループの両端部分は、まず、マイク本体２とクリップベース５の間を通る。クリップベース５の両端は図２に示されるようにマイク本体２に向けて突き出している。ネックストラップ３は、クリップベース５とマイク本体３の間で、両端の突出部分の内側であって、リング部５１の両側を通る。そして、ネックストラップ３は、左右の案内スリット５７に通されて、クリップベース５とクリップ片６の隙間に入り、下方へ垂れ下がり、当接部５３、６１の間に達しており、当接部５３、６１に挟まれている。このような構成により、クリップ機構４の挟持箇所１１を、案内スリット５７により案内されたネックストラップ３が通る経路上に配置することができる。ネックストラップ３の左右の部分は、図示されないが、挟持箇所１１の下方で結合されている。
【００４２】
上記構成により、図３に示すように、クリップ片６は、支点突起６３を中心として約２０°の範囲で回動可能であり、クリップ片６の回動によってクリップ機構４を開閉可能である。
【００４３】
図５及び図６に示すように、クリップ片６に外力が加えられないときは（無負荷状態）、クリップ片６にスプリング７のテンションが加わり、クリップ機構４の下端が閉じている。そして、ネックストラップ３は、クリップベース５の当接部５３とクリップ片６の当接部６１に挟まれ、マイク本体２に対して固定されている。
【００４４】
クリップ片６に開放操作力が加えられると、クリップ機構４の下端が開く（クリップ開放）。開放操作力は、図示のように、クリップ片６の上部をマイク本体２に向けて押すように、使用者の指で加えられる。クリップ開放により、ネックストラップ３は当接部５３、６１に挟まれなくなり、案内スリット５７内を自在に移動可能になり、そして、ストラップ長を任意の長さに変更可能になる。
【００４５】
また、クリップ機構４が開くと、クリップ片６とクリップベース５の間に使用者の衣服を挿入可能になる。そして、当接部５３、６１の間に衣服を挿入し、操作力を取り除くと、衣服が当接部５３、６１に挟まれ、マイク本体２が衣服に固定される。このとき、衣服とネックストラップ３が重なった状態で当接部５３、６１に挟まれる。こうして、クリップ機構４は、マイク本体２の固定とネックストラップ３の固定に兼用される。
【００４６】
図４には、挿入領域４１が斜線で示されている。挿入領域４１は、クリップ機構４を開いたときに衣服等を挿入可能な隙間が形成される領域である。挿入領域４１は、クリップ片６の中央上部の細長い領域４２を除いた広い範囲である。領域４２は、取付ネジ８とその上方のスプリング７の周辺部分である。また、本実施の形態では、クリップ機構４の挟持箇所１１（当接部５３、６１の領域）がクリップ機構４の下端にそって左右に広がっている。このような構成により、図７に示されるように、衣服のいろいろな向きの縁部をクリップ機構４で挟むことができ、したがって、マイク１を衣服のいろいろな場所に固定できる。
【００４７】
図７には、２つの例が示されている。一例では、マイク１が襟元に固定されている。襟元の縁部が縦方向に延びているので、クリップ機構４の片側の領域に襟元が挿入され、固定されている。もう一つの例では、マイク１がポケットに固定されている。ポケットの縁部が横方向に延びているので、クリップ機構４の下方領域にポケットが挿入され、固定されている。図７では、ネックストラップ３が省略されている。
【００４８】
以上に、本実施の形態に係るマイク１の構成について説明した。次に、マイク１の動作を説明する。ここでは、マイク１を使用者に装着するときの動作を説明する。
【００４９】
装着前、ネックストラップ３に使用者の頭部を通せるように、ストラップ長が十分に確保される。ストラップ長が短い場合には、クリップ機構４を開放し、ネックストラップ３がマイク本体２に対して動かされ、ストラップ長が増大される。
【００５０】
マイク１を装着するときは、ネックストラップ３に使用者の頭部が通される。そして、クリップ機構４を開放し、ストラップ長が短くなるように、マイク本体２がネックストラップ３に沿って上方に動かされる。マイク本体２を適当な高さまで動かすと、ストラップ長が適当になる。そして、衣服の適当な被固定部を、クリップ機構４の当接部５３、６１の隙間に挿入し、クリップ機構４を閉じる。その結果、マイク本体２が衣服に固定され、同時に、ネックストラップ３がマイク本体２に対して固定される。
【００５１】
上記の動作では、クリップ機構４を利用してマイク１が衣服に固定された。しかし、マイク１は、衣服に固定することなく使用されてもよい。この場合は、ストラップ長が適当になったときにクリップ機構４が閉じられる。ネックストラップ３はクリップ機構４により自動的にマイク本体２に対して固定される。
【００５２】
次に、本実施の形態の好適な変形例について説明する。図８及び図９を参照すると、この変形例では、ネックストラップ３の途中にバックル機構８１が設けられている。バックル機構８１は、マイク１を装着した時にマイク本体２と使用者の肩との間に位置するように設けられている。バックル機構８１は、２つの部品８３、８５で構成されており、指先で容易に分離及び結合できる。バックル機構８１を分離すると、ネックストラップ３が分断される。
【００５３】
この構成によれば、ストラップ長を一旦最適値に調整した後は、バックル機構８１を分離及び結合することにより、マイク１を脱着できる。したがって、ストラップ長の再調整が不要になり、脱着時の使用者のストレスを軽減できる。
【００５４】
次に、本実施の形態のもう一つの好適な変形例を説明する。以下の説明において、図１の実施の形態と共通する事項の説明は省略する。図１０及び図１１を参照すると、この変形例では、マイク本体２とクリップ機構４との角度を調整する角度調整機構９１が設けられている。角度調整機構９１は、クリップ機構４による挟持方向と交差した面上でマイク本体２をクリップ機構４に対して相対的に回動可能とし、かつ、回動後の角度でマイク本体２を停止させる。角度調整機構９１は、例えば、回転ラチェット装置又は回転トルクヒンジ装置によって実現される。角度調整機構９１を設けることにより、マイク本体２をクリップ機構４で衣服に固定した後でも、マイク本体２の角度を自由に調整できる。したがって、使用者の口の方向を向くようにマイク本体２の音孔の向きを適切に調整できる。
【００５５】
図１２及び図１３は、角度調整機構９１の構成例を示している。この例では、角度調整機構９１が回転ラチェット装置である。図示のように、マイク本体２の背面からは、軸受９２が突出している。軸受９２の下方には、軸受９２と間隔をあけて歯止めばね９３が設けられている。歯止めばね９３は下方向に弾性変形可能である。
【００５６】
クリップ機構４側では、クリップベース５のリング部９４の外周にピニオン９５が設けられている。ピニオン９５の外周には複数の凹部が等間隔で設けられている。リング部９４が軸受９２に嵌められており、取付ネジ９６が、クリップ片６、スプリング７及びクリップベース５を通して軸受９２の中央のネジ穴９７に締め付けられており、これによりクリップ機構４がマイク本体２に取り付けられている。クリップ機構４は、取付ネジ９６によって軸方向には拘束されているが、軸回りの方向には拘束されていない。またクリップ機構４は上述の実施の形態と同様にして開閉可能であり、ネックストラップ３を固定し、また、マイク本体２を衣服に固定するために用いられる。
【００５７】
図１３に示されるように、クリップベース５のピニオン９５は、マイク本体２の歯止めばね９３と嵌合している。そのため、所定の回転トルクが加えられない限りは、クリップ機構４は回転しない。所定の回転トルクが加わると、歯止めばね９３が下方に弾性変形し、ピニオン９５の拘束が解除され、クリップ機構４とマイク本体２が相対的に回動可能になる。そして、ピニオン９５の外周の任意の凹部が歯止めばね９３と係合する位置で、マイク本体２とクリップ機構４を固定可能である。
【００５８】
上記の角度調整機構９１を利用するときは、マイク本体２が上述の実施の形態と同様に、使用者の衣服に取り付けられる。そして、マイク本体２が使用者の手で回動される。所定のトルクが加わると、上記のように歯止めばね９３が変形し、マイク本体２が回動する。マイク本体２は、音穴が使用者の口を向く適当な位置まで回される。例えば、図１１に示されるように、マイク本体２が襟元に斜めに取り付けられた場合、マイク本体２の上端の音穴は使用者の口を向いていない。しかし、マイク本体２の角度を調整することにより、音穴を使用者の口へ適切に向けることができる。
【００５９】
次に、本実施の形態のもう一つの好適な変形例を説明する。この実施の形態では、ネックストラップが容易に着脱可能なようにマイクが構成される。以下の説明において、図１の実施の形態と共通する事項の説明は省略する。
【００６０】
夏場や部屋の暑さなどによる発汗で、ネックストラップに汗が浸み込み、濡れることがある。マイクが複数の使用者により共用される場合、汗の浸み込んだネックストラップは、使用者に不快感を与えると共に、衛生管理の観点からも好ましくはない。このような問題を解決するため、本実施の形態は、以下に説明するように、ネックストラップを容易に着脱可能にマイクが構成される。
【００６１】
図１４〜図１６は、本実施の形態のマイクを示している。図１４及び図１５は斜視図であり、図１６は図１５をラインＣ−Ｃで切断した図であって、ネックストラップの脱着動作を示している。マイク１０１は、マイク本体１０２、ネックストラップ１０３及びクリップ機構１０４で構成されており、クリップ機構１０４は、クリップベース１０５、クリップ片１０６及び弾性部材１０７を有する。
【００６２】
図１５に示されるように、クリップベース１０５は、図２に示されたクリップベース５と比べて左右方向の幅が小さく構成される。左右の案内スリット１１１は、クリップベース１０５の左右両端まで続いており、端部が開いている。言い換えれば、左右の案内スリット１１１は、両端から中央のリング部１１２付近まで続く細くて深い切欠き溝で構成される。これにより、クリップベース１０５は、案内スリット１１１で上部と下部に分けられる。下部には、前述の実施の形態と同様に当接部１１３が設けられる。
【００６３】
また、クリップベース１０５は、弾性ストッパー１２１を有している。弾性ストッパー１２１は、通常はネックストラップ１０３が横方向にずれて案内スリット１１１から抜けるのを防止する構成であって、ストラップ脱着時には拘束を解除してネックストラップ１０３を移動可能にする機能を持つ。
【００６４】
本実施の形態では、案内スリット１１１の上側の部分が、弾性ストッパー１２１に相当する。弾性ストッパー１２１は、横方向に外側へ向けて延びた比較的細い部分であり、弾性変形して撓むことができる。弾性ストッパー１２１は先端に突起１２２を有している。突起１２２は、マイク本体１０２に向けて突出しており、マイク本体１０２と小さい隙間１２３を隔てて離れており、突起１２２がストッパー機能を提供する。ストラップ脱着時には、弾性ストッパー１２１が弾性変形して撓み、突起１２２がマイク本体１０２から離れ、隙間１２３が大きくなる。
【００６５】
また、本実施の形態では、クリップ片１０６が、左右の端部にストッパーフック１３１を有している。ストッパーフック１３１は、マイク本体１０２に向かって突出し、マイク本体１０２の背面両端部の近傍まで達している。ストッパーフック１３１は、クリップベース１０５の横端部分に対応する位置に設けられており、クリップベース１０５の外側を覆っている。
【００６６】
ストッパーフック１３１は、先端に装着ガイド面１３２を有する。装着ガイド面１３２は、図１６に示されるように、ストッパーフック１３１の外側の傾斜面である。ストッパーフック１３１の先端部が、先細り形状を有しており、先細り形状の外側面が装着ガイド面１３２である。
【００６７】
次に、本実施の形態に係るマイク１０１の動作を説明する。ストラップ装着状態では、ネックストラップ１０３は、クリップベース１０５とマイク本体１０２の隙間であって、弾性ストッパー１２１の突起１２２の内側を通っている。そして、ネックストラップ１０３は、案内スリット１１１を通り、下方へ延びている。ネックストラップ１０３の横方向の移動は、弾性ストッパー１２１により規制されており、さらに、クリップ片１０６のストッパーフック１３１によっても規制される。したがって、通常使用時、ネックストラップ１０３は容易には外れ難い。
【００６８】
ネックストラップ１０３をマイク１０１から外すときは、クリップ機構１０４が開かれる。そして、図１５及び図１６に矢印で示されるように、ネックストラップ１０３が横方向に外側へ向けて引っ張られる。取り外しに必要な所定の力が加えられると、弾性ストッパー１２１が弾性変形し、突起１２２とマイク本体１０２の隙間１２３が大きくなる。ネックストラップ１０３は、案内スリット１１１に対して横方向に移動し、隙間１２３を通過し、マイク本体１０２から離脱する。こうして、本実施の形態によれば、工具等を用いることなく、容易にネックストラップ１０３を取り外せる。
【００６９】
ネックストラップ１０３をマイク１０１に取り付けるときは、ネックストラップ１０３の端面が、クリップ片１０６の装着ガイド面１３２に突き当てられ、押しつけられる。図１５及び図１６に矢印で示されるように、装着に必要な所定の力が加えられると、クリップ機構１０４が開き、ネックストラップ１０３がクリップベース１０５に達する。そして、ネックストラップ１０３から与えられる荷重により、弾性ストッパー１２１が弾性変形し、弾性ストッパー１２１の突起１２２とマイク本体１０２の隙間１２３が拡大する。そして、ネックストラップ１０３は隙間１２３を通り、案内スリット１１１に横方向から挿入される。ネックストラップ１０３が案内スリット１１１に入ると、クリップ機構１０４は弾性力で閉じる。また、弾性ストッパー１２１の形状も復元し、隙間１２３が小さくなる。こうして、ネックストラップ１０３の装着も、工具等を用いることなく容易に行える。
【００７０】
図１４において、ネックストラップ１０３は、マイク１０１の専用の部品である。これに対し、ネックストラップ１０９は、市販のネックストラップであるとする。案内スリット１１１を通過する必要があるのでネックストラップ１０９の紐形状の幅と厚さがある程度制限されるものの、ネックストラップ１０３に代えてネックストラップ１０９を装着することができる。この場合でも、上述した実施の形態と同様に、クリップ機構１０４を使用することができ、着衣へのマイク本体の固定、ストラップ長さの調節、ストラップ固定といった機能を利用できる。
【００７１】
以上に説明したように、図１４〜図１６の構成では、マイク１０１が弾性ストッパー１２１を有する。弾性ストッパー１２１は、ストラップ装着状態ではネックストラップ１０３が横にずれて案内スリット１１１から抜けるのを防止する機能を提供し、かつ、ストラップ脱着時には弾性変形することにより拘束を解除してネックストラップ１０３を移動可能にする。弾性ストッパー１２１を設けることにより、ネックストラップ１０３を容易に交換することができる。したがって、複数の使用者でマイク１０１を利用する場合に、個々人で別々のネックストラップ１０３を使用することができる。更に、市販のネックストラップ１０９も使用可能であり、このことも、個々人での別々のネックストラップの使用を容易にする。こうして、他人の汗の浸み込んだネックストラップの使用を回避可能にして、使用者の不快感を低減できる。
【００７２】
以上に、本発明の実施の形態に係るマイク１について説明した。上記の実施の形態では、クリップ機構４が本発明の挟持手段に相当し、案内スリット５７が本発明のストラップ案内手段に相当する。本実施の形態によれば、ネックストラップ３のストラップループの両端部分が、ストラップ案内手段によってマイク本体２に沿うように案内される。そして、挟持手段の挟持箇所１１が、ストラップ案内手段により案内されたネックストラップ３が通る経路上に配置されている。このような構成により、挟持手段が使用者の被固定部と共にネックストラップをも挟持する。したがって、挟持手段が、使用者の被固定部へのマイク本体２の固定と、ネックストラップ３の固定とに兼用される。
【００７３】
上記構成により、挟持手段にてマイク本体２を被固定部に固定でき、かつ、接触衝撃音の原因になる従来のストラップ固定部品も不要になる。したがって、マイク本体２の揺動による接触衝撃音の発生を防止できる。
【００７４】
また、ストラップ長の調整作業において、従来のストラップ固定部品を使用しないでも、ネックストラップ３とマイク本体２が挟持手段により自動的に固定される。したがって、ストラップ長の調整作業が簡単になり、ネックストラップ３が確実に固定される。ネックストラップ３が固定されないことによるマイク本体２のずれ落ちを防止できる。
【００７５】
さらに、ストラップ長の調整作業が容易なので、使用者は着脱の度にストラップ長を調整しても煩わしさを感じないで済む。上記の例でいえば、マイク本体２をネックストラップ３に対して移動してから衣服の適当な場所にクリップ機構４で固定すると、ストラップ長の調整が終了する。したがって、ネックストラップ３が長すぎる状態で使用される可能性も低減できる。そして、使用者の口からマイク本体２が遠すぎて入力音圧が不足する可能性も低減できる。
【００７６】
このようにして、本実施の形態によれば、マイク本体の揺動による接触衝撃音の発生を防止でき、ストラップ長の調整作業を簡単にしてネックストラップが確実に固定されるようにでき、ネックストラップが長すぎる状態で使用される可能性を低減できる。
【００７７】
また、本実施の形態では、挟持手段がクリップ機構４であり、マイク本体２の背面に設けられたクリップベース５と、クリップベース５に対して回動可能なクリップ片６と、クリップ片６をクリップベース５に付勢する弾性部材とで構成される。挟持手段が弾性的に開閉するクリップ機構４で実現され、操作が容易である。
【００７８】
また、本実施の形態では、ストラップ案内手段が、クリップベース５に設けられた左右の案内スリット５７であり、案内スリット５７は、クリップ機構４の挟持箇所１１の上方に配置されている。そして、ネックストラップ３が案内スリット５７を通過してクリップベース５とクリップ片６の隙間に入り、下方の挟持箇所１１へと至っている。このような構成を設けることにより、ネックストラップ３をクリップ機構４の挟持箇所１１へと簡単な構成により案内することができる。
【００７９】
また、本実施の形態では、マイク本体２が、上端から下方に向けて幅が拡大する形状をマイク本体２の全体形状の少なくとも一部として有している。クリップ片６は、マイク本体２の形状に対応してクリップ上端からクリップ下端に向けて幅が拡大する幅拡大形状を有している。そして、幅拡大形状の幅方向の中央部の取付箇所にてクリップ機構４がマイク本体２に取り付けられており、クリップ機構４は、挟持箇所１１が取付箇所より下方で取付箇所の左右の領域を含むように構成されている。このような構成により、クリップ片６の左右両側の領域の少なくとも一方を使用して、操作者の被固定部を挟持することができ、使用者のいろいろな部位を被固定部として使用可能であり、利便性を増大できる。
【００８０】
また、本実施の形態では、図１０〜図１３を用いて説明したように、角度調整機構９１が設けられる。角度調整機構９１は、クリップ機構４による挟持方向と交差した面上でマイク本体２をクリップ機構４に対して回動可能に保持し、かつ、回動後の角度でマイク本体２を停止させることにより、マイク本体２とクリップ機構４との角度を調整する。このような構成により、マイク本体２を被固定部に固定した後でも、マイク本体２の角度を自由に調整でき、使用者の口の方向を向くようにマイク音孔の向きを適切に調整できる。
【００８１】
また、本実施の形態では、図１４〜図１６を用いて説明したように、クリップベース１０５が弾性ストッパー１２１を有する。この構成により、弾性ストッパー１２１による拘束を解除することで、ネックストラップ１０３を容易に交換することができる。例えば、複数の使用者でマイク１０１を利用する場合に、個々人で別々のネックストラップ１０３、１０９を使用することができ、使用者の不快感を低減できる。
【００８２】
また、本実施の形態では、図８及び図９を用いて説明したように、ネックストラップ３を途中で分断可能に連結するバックル機構８１が設けられる。これにより、ストラップ長さを一旦調整した後に、再調整が不要になる。したがって、脱着時の使用者のストレスを低減できる。
【００８３】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００８４】
以上のように、本発明にかかるマイクロフォン装置は、マイク本体の揺動による接触衝撃音の発生を防止でき、ストラップ長の調整作業を簡単にしてネックストラップが確実に固定されるようにでき、ネックストラップが長すぎる状態で使用される可能性を低減できるという効果を有し、赤外線小型マイクロフォン装置等として有用である。
【図面の簡単な説明】
【００８５】
【図１】本発明の実施の形態におけるマイクロフォン装置を示す斜視図
【図２】本発明の実施の形態におけるマイクロフォン装置を示す分解斜視図
【図３】本発明の実施の形態におけるマイクロフォン装置を示す側面図
【図４】本発明の実施の形態におけるマイクロフォン装置を示す背面図
【図５】本発明の実施の形態におけるマイクロフォン装置を示す断面図
【図６】本発明の実施の形態におけるマイクロフォン装置を示す断面図
【図７】使用者へのマイクロフォン装置の固定方法を示す図
【図８】実施の形態の変形例として、バックル機構を備えたマイクロフォン装置を示す図
【図９】実施の形態の変形例として、バックル機構を備えたマイクロフォン装置を示す図
【図１０】実施の形態の変形例として、角度調整機構を備えたマイクロフォン装置を示す図
【図１１】実施の形態の変形例として、角度調整機構を備えたマイクロフォン装置を示す図
【図１２】角度調整機構の例として、回転ラチェット機構を示す図
【図１３】角度調整機構の例として、回転ラチェット機構を示す図
【図１４】実施の形態の変形例として、ネックストラップを着脱するための構成を備えたマイクロフォン装置を示す図
【図１５】実施の形態の変形例として、ネックストラップを着脱するための構成を備えたマイクロフォン装置を示す図
【図１６】ネックストラップを着脱する動作を示す断面図
【図１７】従来のマイクロフォン装置を示す図
【図１８】従来のマイクロフォン装置を示す図
【符号の説明】
【００８６】
１  マイク
２  マイク本体
３  ネックストラップ
４  クリップ機構
５  クリップベース
６  クリップ片
７  スプリング
５３  当接部
５５  支点溝
５７  案内スリット
６１  当接部
６３  支点突起
８１  バックル機構
９１  角度調整機構
【図１】
2010193236.tif 000003
【図２】
2010193236.tif 000004
【図３】
2010193236.tif 000005
【図４】
2010193236.tif 000006
【図５】
2010193236.tif 000007
【図６】
2010193236.tif 000008
【図７】
2010193236.tif 000009
【図８】
2010193236.tif 000010
【図９】
2010193236.tif 000011
【図１０】
2010193236.tif 000012
【図１１】
2010193236.tif 000013
【図１２】
2010193236.tif 000014
【図１３】
2010193236.tif 000015
【図１４】
2010193236.tif 000016
【図１５】
2010193236.tif 000017
【図１６】
2010193236.tif 000018
【図１７】
2010193236.tif 000019
【図１８】
2010193236.tif 000020